(57)【要約】【課題】様々な用途で利用可能なセキュリティを重視した配送を、安価に行うことが可能な配送システム、携帯端末及びプログラムを提供する。【解決手段】配送システム１００は、携帯端末４が、解錠操作を受け付けた場合に、配送容器９に設けられ受信した信号により施錠及び解錠を制御する鍵装置７のシリアル番号と、位置情報取得部４４が取得した現在位置情報と、携帯端末４の端末ＩＤとを含む解錠情報を管理サーバ１に送信する情報送信部４５を備え、管理サーバ１が、携帯端末４から受信した解錠情報のシリアル番号に基づいて、シリアル番号と解錠条件情報とを対応付けて記憶する解錠条件記憶部３５の解錠条件情報を特定し、解錠情報の現在位置情報及び端末ＩＤと解錠条件情報とを照合する照合部２１と、照合できた場合に、解錠指示信号を携帯端末４に送信する情報送信部２４とを備え、携帯端末４が、受信した解錠指示信号を鍵装置７に送信する。【選択図】図１
2018084112.tif 000002
【特許請求の範囲】
【請求項１】
配送対象の荷物を収容可能な配送容器に一体として設けられ、又は、前記配送容器の外部に取り付けられて、外部から受信した信号により施錠及び解錠を制御する鍵装置と、
前記鍵装置との間で近距離無線通信が可能な携帯端末と、
前記携帯端末との間で通信可能に接続された管理サーバと、
を備えた配送システムであって、
前記携帯端末は、
現在位置情報を取得する位置情報取得手段と、
解錠操作を受け付けた場合に、前記鍵装置を識別する装置識別情報を前記鍵装置から取得する情報取得手段と、
前記装置識別情報と、前記解錠操作を受け付けたときの前記現在位置情報と、前記携帯端末又は前記携帯端末のユーザを識別する端末識別情報とを含む解錠情報を、前記管理サーバに送信する解錠情報送信手段と、
を備え、
前記管理サーバは、
前記装置識別情報と、解錠を許可する位置に関する位置情報及び解錠を許可するユーザグループに関するグループ情報を含む解錠条件情報とを対応付けて記憶する解錠条件記憶部と、
前記携帯端末から受信した前記解錠情報の前記装置識別情報に基づいて前記解錠条件記憶部に記憶された前記解錠条件情報を特定し、前記解錠情報の前記現在位置情報が前記解錠条件情報の位置情報に合致し、かつ、前記解錠情報の端末識別情報が前記解錠条件情報のグループ情報に含まれるものであるか否かを照合する照合手段と、
前記照合手段により照合できた場合に、解錠指示信号を、前記携帯端末に送信する指示信号送信手段と、
を備え、
前記携帯端末は、前記管理サーバから解錠指示信号を受信した場合に、前記解錠指示信号を前記鍵装置に送信する信号送信手段を備え、
前記鍵装置は、前記携帯端末から受信した前記解錠指示信号に基づいて解錠制御を行うこと、
を特徴とする配送システム。
【請求項２】
請求項１に記載の配送システムにおいて、
前記携帯端末の前記情報取得手段は、施錠操作を受け付けた場合に、前記鍵装置から前記装置識別情報を取得し、
前記携帯端末は、
前記解錠条件情報の入力を受け付ける解錠条件受付手段と、
前記装置識別情報と、前記解錠条件情報とを含む施錠情報を、前記管理サーバに送信する施錠情報送信手段と、
を備え、
前記管理サーバは、前記携帯端末から受信した前記施錠情報に含まれる前記装置識別情報と、前記解錠条件情報とを、前記解錠条件記憶部に記憶する記憶制御手段を備え、
前記管理サーバの前記指示信号送信手段は、施錠指示信号を、前記携帯端末に送信し、
前記携帯端末の前記信号送信手段は、前記管理サーバから受信した施錠指示信号を、前記鍵装置に送信すること、
を特徴とする配送システム。
【請求項３】
請求項１又は請求項２に記載の配送システムにおいて、
前記管理サーバの前記解錠条件記憶部は、解錠を許可する日時に関する日時情報を、前記解錠条件情報にさらに含んで記憶しており、
前記管理サーバは、日時情報を取得する日時情報取得手段を備え、
前記管理サーバの前記照合手段は、前記日時情報取得手段により前記携帯端末から前記解錠情報を受信したときの日時情報を取得し、前記解錠情報の前記装置識別情報に基づいて前記解錠条件記憶部に記憶された前記解錠条件情報を特定し、さらに、取得した日時情報が前記解錠条件情報の日時情報に合致するか否かを照合すること、
を特徴とする配送システム。
【請求項４】
請求項１から請求項３までのいずれかに記載の配送システムにおいて、
前記管理サーバの前記解錠条件記憶部は、施錠を依頼した際の前記携帯端末の現在位置情報及び前記端末識別情報を含む依頼時情報を、前記装置識別情報にさらに対応付けて記憶し、
前記管理サーバは、前記携帯端末から受信した前記解錠情報の前記装置識別情報に対応付けられた前記依頼時情報と、前記解錠情報に含まれる現在位置情報及び端末識別情報とを照合する臨時照合手段を備え、
前記管理サーバの前記指示信号送信手段は、前記臨時照合手段により照合できた場合に、前記解錠指示信号を、前記携帯端末に送信すること、
を特徴とする配送システム。
【請求項５】
請求項４に記載の配送システムにおいて、
前記管理サーバの前記解錠条件記憶部は、臨時解錠期間を、前記装置識別情報にさらに対応付けて記憶し、
前記管理サーバは、日時情報を取得する日時情報取得手段を備え、
前記管理サーバの前記臨時照合手段は、前記日時情報取得手段により前記携帯端末から前記解錠情報を受信したときの日時情報を取得し、前記解錠情報の前記装置識別情報に対応付けられた前記臨時解錠期間を、前記日時情報が満たす場合に、前記装置識別情報に対応付けられた前記依頼時情報と、前記解錠情報に含まれる現在位置情報及び端末識別情報とを照合すること、
を特徴とする配送システム。
【請求項６】
請求項１から請求項５までのいずれかに記載の配送システムにおいて、
前記管理サーバは、暗証情報を生成する暗証情報生成手段を備え、
前記管理サーバの前記解錠条件記憶部は、施錠の際に生成した前記暗証情報を、前記解錠条件情報に対応付けて記憶しており、
前記管理サーバの前記指示信号送信手段は、前記暗証情報を含む解錠指示信号を、前記携帯端末に送信し、
前記鍵装置は、前記携帯端末から前記解錠指示信号を受信した場合に、前記解錠指示信号に含まれる前記暗証情報と、施錠の際に前記管理サーバによって生成され前記携帯端末を介して受信して記憶した暗証情報とを照合し、照合できたときに解錠制御を行うこと、
を特徴とする配送システム。
【請求項７】
配送対象の荷物を収容可能な配送容器に一体として設けられ、又は、前記配送容器の外部に取り付けられ、外部から受信した信号により施錠及び解錠を制御する鍵装置と、
前記鍵装置の間で近距離無線通信が可能な携帯端末と、
前記携帯端末との間で通信可能に接続された管理サーバと、
を備えた配送システムであって、
前記携帯端末は、
現在位置情報を取得する位置情報取得手段と、
解錠操作を受け付けた場合に、前記鍵装置を識別する装置識別情報を前記鍵装置から取得する情報取得手段と、
前記装置識別情報と、前記解錠操作を受け付けたときの前記現在位置情報とを含む解錠情報を、前記管理サーバに送信する解錠情報送信手段と、
を備え、
前記管理サーバは、
前記装置識別情報と、解錠を許可する位置に関する位置情報及び解錠を許可する日時に関する日時情報を含む解錠条件情報とを対応付けて記憶する解錠条件記憶部と、
日時情報を取得する日時情報取得手段と、
前記携帯端末から受信した前記解錠情報の前記装置識別情報に基づいて前記解錠条件記憶部に記憶された前記解錠条件情報を特定し、前記解錠情報の前記現在位置情報が前記解錠条件情報の位置情報に合致し、かつ、前記解錠情報を受信した日時情報が前記解錠条件情報の日時情報に合致するか否かを照合する照合手段と、
前記照合手段により照合できた場合に、解錠指示信号を、前記携帯端末に送信する指示信号送信手段と、
を備え、
前記携帯端末は、前記管理サーバから解錠指示信号を受信した場合に、前記解錠指示信号を前記鍵装置に送信する信号送信手段を備え、
前記鍵装置は、前記携帯端末から受信した前記解錠指示信号に基づいて解錠制御を行うこと、
を特徴とする配送システム。
【請求項８】
配送対象の荷物を収容可能な配送容器に一体として設けられ、又は、前記配送容器の外部に取り付けられ、外部から受信した信号により施錠及び解錠を制御する鍵装置と、前記鍵装置の施錠及び解錠を管理する管理サーバとの間を仲介する携帯端末であって、
施錠操作を受け付けた場合に、前記鍵装置を識別する装置識別情報を前記鍵装置から取得する情報取得手段と、
前記鍵装置の解錠を許可するユーザグループに関するグループ情報と、他の解錠を許可する条件に関する付加情報と含む解錠条件情報の入力を受け付ける解錠条件受付手段と、
前記装置識別情報と、前記解錠条件情報とを含む施錠情報を、前記管理サーバに送信する施錠情報送信手段と、
前記施錠情報送信手段による送信後に前記管理サーバから受信した施錠指示信号を、前記鍵装置に送信する信号送信手段と、
を備えること、
を特徴とする携帯端末。
【請求項９】
請求項８に記載の携帯端末において、
前記鍵装置の施錠及び解錠を許可するグループを設定するためのグループ設定画面を出力するグループ設定画面出力手段と、
前記グループ設定画面により設定されたグループの選択を受け付けたことに応じて、前記グループに属するユーザを設定するためのユーザ設定画面を出力するユーザ設定画面出力手段と、
前記ユーザ設定画面によりユーザが設定されたグループであるユーザグループに関するグループ情報を、リスト形式で出力するグループリスト出力手段と、
を備え、
前記解錠条件受付手段は、前記グループリスト出力手段により出力されたグループ情報のうち１つのグループ情報の選択と、前記付加情報の入力とを受け付けること、
を特徴とする携帯端末。
【請求項１０】
配送対象の荷物を収容可能な配送容器に一体として設けられ、又は、前記配送容器の外部に取り付けられ、外部から受信した信号により施錠及び解錠を制御する鍵装置と、前記鍵装置の施錠及び解錠を管理する管理サーバとの間を仲介する携帯端末で実行するプログラムであって、
前記携帯端末を、
施錠操作を受け付けた場合に、前記鍵装置を識別する装置識別情報を前記鍵装置から取得する情報取得手段と、
前記鍵装置の解錠を許可するユーザグループに関するグループ情報と、他の解錠を許可する条件に関する付加情報と含む解錠条件情報の入力を受け付ける解錠条件受付手段と、
前記装置識別情報と、前記解錠条件情報とを含む施錠情報を、前記管理サーバに送信する施錠情報送信手段と、
前記施錠情報送信手段による送信後に前記管理サーバから受信した施錠指示信号を、前記鍵装置に送信する信号送信手段と、
して機能させること、
を特徴とするプログラム。
【発明の詳細な説明】
【技術分野】
【０００１】
本発明は、配送システム、携帯端末及びプログラムに関する。
【背景技術】
【０００２】
従来、現金等の貴重品や、機密情報が記載された書類等の機微な文書等を配送したいといった、セキュリティを重視した配送へのニーズがある。そして、配送中に盗難にあった場合でも、貴重品を取り出せず、また、覗き見ることができないような技術が開示されている（例えば、特許文献１，２）。
【先行技術文献】
【特許文献】
【０００３】
【特許文献１】特開平８−２１８７３２号公報
【特許文献２】国際公開第２００６／０２７８６７号
【発明の概要】
【発明が解決しようとする課題】
【０００４】
特許文献１，２に記載の方法では、輸送容器や荷物配達用ボックス等の配送に使用する鍵機能を有する容器に、様々な機能を有するものであった。そのため、容器の価格が高くなってしまっていた。
また、様々な用途に対応した配送に利用したいニーズもある。
【０００５】
本発明は、様々な用途で利用可能なセキュリティを重視した配送を、安価に行うことが可能な配送システム、携帯端末及びプログラムを提供することを目的とする。
【課題を解決するための手段】
【０００６】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００７】
第１の発明は、配送対象の荷物を収容可能な配送容器（９）に一体として設けられ、又は、前記配送容器の外部に取り付けられて、外部から受信した信号により施錠及び解錠を制御する鍵装置（７）と、前記鍵装置との間で近距離無線通信が可能な携帯端末（４）と、前記携帯端末との間で通信可能に接続された管理サーバ（１，２０１）と、を備えた配送システム（１００，２００）であって、前記携帯端末は、現在位置情報を取得する位置情報取得手段（４４）と、解錠操作を受け付けた場合に、前記鍵装置を識別する装置識別情報を前記鍵装置から取得する情報取得手段（４３）と、前記装置識別情報と、前記解錠操作を受け付けたときの前記現在位置情報と、前記携帯端末又は前記携帯端末のユーザを識別する端末識別情報とを含む解錠情報を、前記管理サーバに送信する解錠情報送信手段（４５）と、を備え、前記管理サーバは、前記装置識別情報と、解錠を許可する位置に関する位置情報及び解錠を許可するユーザグループに関するグループ情報を含む解錠条件情報とを対応付けて記憶する解錠条件記憶部（３５，２３５）と、前記携帯端末から受信した前記解錠情報の前記装置識別情報に基づいて前記解錠条件記憶部に記憶された前記解錠条件情報を特定し、前記解錠情報の前記現在位置情報が前記解錠条件情報の位置情報に合致し、かつ、前記解錠情報の端末識別情報が前記解錠条件情報のグループ情報に含まれるものであるか否かを照合する照合手段（２１，２２１）と、前記照合手段により照合できた場合に、解錠指示信号を、前記携帯端末に送信する指示信号送信手段（２４）と、を備え、前記携帯端末は、前記管理サーバから解錠指示信号を受信した場合に、前記解錠指示信号を前記鍵装置に送信する信号送信手段（４８）を備え、前記鍵装置は、前記携帯端末から受信した前記解錠指示信号に基づいて解錠制御を行うこと、を特徴とする配送システムである。
第２の発明は、第１の発明の配送システム（１００，２００）において、前記携帯端末（４）の前記情報取得手段（４３）は、施錠操作を受け付けた場合に、前記鍵装置（７）から前記装置識別情報を取得し、前記携帯端末は、前記解錠条件情報の入力を受け付ける解錠条件受付手段（４２）と、前記装置識別情報と、前記解錠条件情報とを含む施錠情報を、前記管理サーバに送信する施錠情報送信手段（４５）と、を備え、前記管理サーバ（１，２０１）は、前記携帯端末から受信した前記施錠情報に含まれる前記装置識別情報と、前記解錠条件情報とを、前記解錠条件記憶部（３５，２３５）に記憶する記憶制御手段（１５）を備え、前記管理サーバの前記指示信号送信手段（２４）は、施錠指示信号を、前記携帯端末に送信し、前記携帯端末の前記信号送信手段（４８）は、前記管理サーバから受信した施錠指示信号を、前記鍵装置に送信すること、を特徴とする配送システムである。
第３の発明は、第１の発明又は第２の発明の配送システム（２００）において、前記管理サーバ（２０１）の前記解錠条件記憶部（２３５）は、解錠を許可する日時に関する日時情報を、前記解錠条件情報にさらに含んで記憶しており、前記管理サーバは、日時情報を取得する日時情報取得手段（２２０）を備え、前記管理サーバの前記照合手段（２２１）は、前記日時情報取得手段により前記携帯端末から前記解錠情報を受信したときの日時情報を取得し、前記解錠情報の前記装置識別情報に基づいて前記解錠条件記憶部に記憶された前記解錠条件情報を特定し、さらに、取得した日時情報が前記解錠条件情報の日時情報に合致するか否かを照合すること、を特徴とする配送システムである。
第４の発明は、第１の発明から第３の発明までのいずれかの配送システム（１００，２００）において、前記管理サーバ（１，２０１）の前記解錠条件記憶部（３５，２３５）は、施錠を依頼した際の前記携帯端末（４）の現在位置情報及び前記端末識別情報を含む依頼時情報を、前記装置識別情報にさらに対応付けて記憶し、前記管理サーバは、前記携帯端末から受信した前記解錠情報の前記装置識別情報に対応付けられた前記依頼時情報と、前記解錠情報に含まれる現在位置情報及び端末識別情報とを照合する臨時照合手段（２１，２２１）を備え、前記管理サーバの前記指示信号送信手段（２４）は、前記臨時照合手段により照合できた場合に、前記解錠指示信号を、前記携帯端末に送信すること、を特徴とする配送システムである。
第５の発明は、第４の発明の配送システム（２００）において、前記管理サーバ（２０１）の前記解錠条件記憶部（２３５）は、臨時解錠期間を、前記装置識別情報にさらに対応付けて記憶し、前記管理サーバは、日時情報を取得する日時情報取得手段（２２０）を備え、前記管理サーバの前記臨時照合手段（２２１）は、前記日時情報取得手段により前記携帯端末から前記解錠情報を受信したときの日時情報を取得し、前記解錠情報の前記装置識別情報に対応付けられた前記臨時解錠期間を、前記日時情報が満たす場合に、前記装置識別情報に対応付けられた前記依頼時情報と、前記解錠情報に含まれる現在位置情報及び端末識別情報とを照合すること、を特徴とする配送システムである。
第６の発明は、第１の発明から第５の発明までのいずれかの配送システム（１００，２００）において、前記管理サーバ（１，２０１）は、暗証情報を生成する暗証情報生成手段（１４）を備え、前記管理サーバの前記解錠条件記憶部（３５，２３５）は、施錠の際に生成した前記暗証情報を、前記解錠条件情報に対応付けて記憶しており、前記管理サーバの前記指示信号送信手段（２４）は、前記暗証情報を含む解錠指示信号を、前記携帯端末（４）に送信し、前記鍵装置（７）は、前記携帯端末から前記解錠指示信号を受信した場合に、前記解錠指示信号に含まれる前記暗証情報と、施錠の際に前記管理サーバによって生成され前記携帯端末を介して受信して記憶した暗証情報とを照合し、照合できたときに解錠制御を行うこと、を特徴とする配送システムである。
第７の発明は、配送対象の荷物を収容可能な配送容器に一体として設けられ、又は、前記配送容器の外部に取り付けられ、外部から受信した信号により施錠及び解錠を制御する鍵装置と、前記鍵装置の間で近距離無線通信が可能な携帯端末と、前記携帯端末との間で通信可能に接続された管理サーバと、を備えた配送システムであって、前記携帯端末は、現在位置情報を取得する位置情報取得手段と、解錠操作を受け付けた場合に、前記鍵装置を識別する装置識別情報を前記鍵装置から取得する情報取得手段と、前記装置識別情報と、前記解錠操作を受け付けたときの前記現在位置情報とを含む解錠情報を、前記管理サーバに送信する解錠情報送信手段と、を備え、前記管理サーバは、前記装置識別情報と、解錠を許可する位置に関する位置情報及び解錠を許可する日時に関する日時情報を含む解錠条件情報とを対応付けて記憶する解錠条件記憶部と、日時情報を取得する日時情報取得手段と、前記携帯端末から受信した前記解錠情報の前記装置識別情報に基づいて前記解錠条件記憶部に記憶された前記解錠条件情報を特定し、前記解錠情報の前記現在位置情報が前記解錠条件情報の位置情報に合致し、かつ、前記解錠情報を受信した日時情報が前記解錠条件情報の日時情報に合致するか否かを照合する照合手段と、前記照合手段により照合できた場合に、解錠指示信号を、前記携帯端末に送信する指示信号送信手段と、を備え、前記携帯端末は、前記管理サーバから解錠指示信号を受信した場合に、前記解錠指示信号を前記鍵装置に送信する信号送信手段を備え、前記鍵装置は、前記携帯端末から受信した前記解錠指示信号に基づいて解錠制御を行うこと、を特徴とする配送システムである。
【０００８】
第８の発明は、配送対象の荷物を収容可能な配送容器（９）に一体として設けられ、又は、前記配送容器の外部に取り付けられ、外部から受信した信号により施錠及び解錠を制御する鍵装置（７）と、前記鍵装置の施錠及び解錠を管理する管理サーバ（１，２０１）との間を仲介する携帯端末（４）であって、施錠操作を受け付けた場合に、前記鍵装置を識別する装置識別情報を前記鍵装置から取得する情報取得手段（４３）と、前記鍵装置の解錠を許可するユーザグループに関するグループ情報と、他の解錠を許可する条件に関する付加情報と含む解錠条件情報の入力を受け付ける解錠条件受付手段（４２）と、前記装置識別情報と、前記解錠条件情報とを含む施錠情報を、前記管理サーバに送信する施錠情報送信手段（４５）と、前記施錠情報送信手段による送信後に前記管理サーバから受信した施錠指示信号を、前記鍵装置に送信する信号送信手段（４８）と、を備えること、を特徴とする携帯端末である。
第９の発明は、第８の発明の携帯端末（４）において、前記鍵装置（７）の施錠及び解錠を許可するグループを設定するためのグループ設定画面を出力するグループ設定画面出力手段（５０）と、前記グループ設定画面により設定されたグループの選択を受け付けたことに応じて、前記グループに属するユーザを設定するためのユーザ設定画面を出力するユーザ設定画面出力手段（５０）と、前記ユーザ設定画面によりユーザが設定されたグループであるユーザグループに関するグループ情報を、リスト形式で出力するグループリスト出力手段（４０）と、を備え、前記解錠条件受付手段（４２）は、前記グループリスト出力手段により出力されたグループ情報のうち１つのグループ情報の選択と、前記付加情報の入力とを受け付けること、を特徴とする携帯端末である。
第１０の発明は、配送対象の荷物を収容可能な配送容器（９）に一体として設けられ、又は、前記配送容器の外部に取り付けられ、外部から受信した信号により施錠及び解錠を制御する鍵装置（７）と、前記鍵装置の施錠及び解錠を管理する管理サーバ（１，２０１）との間を仲介する携帯端末（４）で実行するプログラム（６１ａ）であって、前記携帯端末を、施錠操作を受け付けた場合に、前記鍵装置を識別する装置識別情報を前記鍵装置から取得する情報取得手段と、前記鍵装置の解錠を許可するユーザグループに関するグループ情報と、他の解錠を許可する条件に関する付加情報と含む解錠条件情報の入力を受け付ける解錠条件受付手段と、前記装置識別情報と、前記解錠条件情報とを含む施錠情報を、前記管理サーバに送信する施錠情報送信手段と、前記施錠情報送信手段による送信後に前記管理サーバから受信した施錠指示信号を、前記鍵装置に送信する信号送信手段と、して機能させること、を特徴とするプログラムである。
【発明の効果】
【０００９】
本発明によれば、様々な用途で利用可能なセキュリティを重視した配送を、安価に行うことが可能な配送システム、携帯端末及びプログラムを提供することができる。
【図面の簡単な説明】
【００１０】
【図１】第１実施形態に係る配送システムの全体構成を示す図である。
【図２】第１実施形態に係る管理サーバの機能ブロックを示す図である。
【図３】第１実施形態に係る管理サーバの解錠条件記憶部の項目例を示す図である。
【図４】第１実施形態に係る携帯端末及び鍵装置の機能ブロックを示す図である。
【図５】第１実施形態に係る配送システムの適用例を説明するための図である。
【図６】第１実施形態に係る携帯端末での表示例を示す図である。
【図７】第１実施形態に係る管理サーバのユーザ記憶部及びグループ記憶部の例を示す図である。
【図８】第１実施形態に係る配送システムでの施錠処理を示すフローチャートである。
【図９】第１実施形態に係る携帯端末での表示例を示す図である。
【図１０】第１実施形態に係る配送システムでの解錠処理を示すフローチャートである。
【図１１】第１実施形態に係る配送システムでの解錠処理を示すフローチャートである。
【図１２】第２実施形態に係る管理サーバの機能ブロックを示す図である。
【図１３】第２実施形態に係る管理サーバの解錠条件記憶部の項目例を示す図である。
【図１４】第２実施形態に係る配送システムの適用例を説明するための図である。
【図１５】第２実施形態に係る配送システムでの施錠処理を示すフローチャートである。
【図１６】第２実施形態に係る携帯端末での表示例を示す図である。
【図１７】第２実施形態に係る配送システムでの解錠処理を示すフローチャートである。
【発明を実施するための形態】
【００１１】
以下、本発明を実施するための形態について、図を参照しながら説明する。なお、これは、あくまでも一例であって、本発明の技術的範囲はこれに限られるものではない。
（第１実施形態）
＜配送システム１００の全体構成＞
図１は、第１実施形態に係る配送システム１００の全体構成を示す図である。
配送システム１００は、配送容器９ａの外部に取り付けられた鍵装置７ａや、配送容器９ｂに一体として設けられた鍵装置７ｂが、携帯端末４（４ａ，４ｂ）からの信号を受信することで施錠及び解錠を行い、施錠の際に指定したグループ内のユーザ及び指定位置でのみ解錠を許可するようにしたものである。
【００１２】
配送システム１００は、管理サーバ１と、携帯端末４と、鍵装置７（７ａ，７ｂ）とを備える。
管理サーバ１と、携帯端末４とは、通信ネットワークＮを介して通信接続されている。通信ネットワークＮは、例えば、インターネットや携帯電話通信網等である。また、携帯端末４と、鍵装置７とは、例えば、ＮＦＣ（Ｎｅａｒ  Ｆｉｅｌｄ  Ｃｏｍｍｕｎｉｃａｔｉｏｎ）等の通信規格を利用した近距離無線通信による通信が可能である。
【００１３】
管理サーバ１は、例えば、この配送システム１００を運営する運営会社等に設けられ、鍵装置７の施錠及び解錠に関する管理を行う。また、管理サーバ１は、この配送システム１００を利用する携帯端末４のユーザ等に関する管理を行う。
携帯端末４は、この配送システム１００を利用するユーザが所持する、例えば、スマートフォンに代表される情報端末である。携帯端末４は、その他、携帯電話機やタブレット等であってもよい。携帯端末４は、少なくとも、現在位置を取得する機能と、鍵装置７及び管理サーバ１との間での通信を行う機能とを有する。
鍵装置７は、携帯端末４からの信号に基づいて、電気錠７４（後述する）の施錠及び解錠をする装置である。図１では、配送容器９ａを開閉する位置に取り付ける南京錠の形状をした鍵装置７ａと、配送容器９ｂに一体になった鍵装置７ｂとを例に示している。しかし、施錠がされているときに配送容器９（９ａ、９ｂ）が開けられず、解錠されて初めて配送容器９を開けることができるものであれば、鍵装置７は、どのような形状や取り付け位置のものであってもよい。
配送容器９は、配送対象の荷物を収容可能な容器である。
【００１４】
次に、各装置の機能について説明する。
図２は、第１実施形態に係る管理サーバ１の機能ブロックを示す図である。
図３は、第１実施形態に係る管理サーバ１の解錠条件記憶部３５の項目例を示す図である。
図４は、第１実施形態に係る携帯端末４及び鍵装置７の機能ブロックを示す図である。
＜管理サーバ１＞
管理サーバ１は、鍵装置７の管理に際し、施錠の際に、携帯端末４から受信した施錠情報を記憶部３０に記憶させ、携帯端末４に対して施錠指示信号を送信する。また、管理サーバ１は、解錠の際に、携帯端末４から受信した解錠情報が、解錠条件情報を満たすか否かを判定し、解錠条件情報を満たした場合に、携帯端末４に対して解錠指示信号を送信する。
【００１５】
管理サーバ１は、制御部１０と、記憶部３０とを備える。
制御部１０は、管理サーバ１の全体を制御する中央処理装置（ＣＰＵ）である。制御部１０は、記憶部３０に記憶されているオペレーティングシステム（ＯＳ）やアプリケーションプログラムを適宜読み出して実行することにより、上述したハードウェアと協働し、各種機能を実行する。
【００１６】
制御部１０は、認証処理部１１と、施錠処理部１２と、解錠処理部１８と、情報送信部２４（指示信号送信手段）と、ユーザ処理部２６とを備える。
認証処理部１１は、携帯端末４から端末ＩＤ（ＩＤｅｎｔｉｆｉｃａｔｉｏｎ）（端末識別情報）を含む認証情報を受信した際に、認証を行う。端末ＩＤは、携帯端末４を識別する識別情報であり、例えば、ＩＭＥＩ（Ｉｎｔｅｒｎａｔｉｏｎａｌ  Ｍｏｂｉｌｅ  Ｅｑｕｉｐｍｅｎｔ  Ｉｄｅｎｔｉｔｙ）である。なお、端末ＩＤではなく、ユーザを識別するユーザＩＤ等を用いてもよい。認証処理部１１は、携帯端末４との間で通信を確立する度に処理を行う。
【００１７】
施錠処理部１２は、鍵装置７を施錠させるための処理を行う。施錠処理部１２は、施錠情報受信部１３と、暗証生成部１４（暗証情報生成手段）と、記憶制御部１５（制御記憶手段）と、施錠指示信号生成部１６とを備える。
施錠情報受信部１３は、携帯端末４から施錠情報を受信する。ここで、施錠情報は、鍵装置７のシリアル番号（装置識別情報）と、解錠条件情報とを含む。鍵装置７のシリアル番号は、鍵装置７を識別するための識別情報である。また、解錠条件情報は、鍵装置７を解錠する際の条件であり、この例では、解錠を許可する位置に関する位置情報と、解錠を許可するユーザグループに関するグループ情報とを含む。
【００１８】
暗証生成部１４は、暗証情報を生成する。ここで、暗証情報は、例えば、８文字以上の英数字からなる文字列である。暗証情報は、ワンタイムパスワード等、毎回異なる文字列になるものが望ましい。なお、暗証生成部１４は、この管理サーバ１の制御部１０が暗証情報を直接生成するものの他、管理サーバ１に対して通信ネットワークＮを介して接続された他の装置が生成した暗証情報を受信して取得するものであってもよい。
記憶制御部１５は、携帯端末４から受信した施錠情報に含まれるシリアル番号及び解錠条件情報と、生成した暗証情報とを、解錠条件記憶部３５に記憶させる。また、記憶制御部１５は、施錠時情報として、施錠操作を行う携帯端末４の端末ＩＤと位置情報とを、解錠条件記憶部３５に記憶させる。
施錠指示信号生成部１６は、施錠指示信号を生成する。施錠指示信号は、鍵装置７に対する施錠を指示する信号であり、暗証情報を含む。
【００１９】
解錠処理部１８は、鍵装置７を解錠させるための処理を行う。解錠処理部１８は、解錠情報受信部１９と、照合部２１（照合手段、臨時照合手段）と、照合結果処理部２２とを備える。
解錠情報受信部１９は、携帯端末４から解錠情報を受信する。ここで、解錠情報は、鍵装置７のシリアル番号と、解錠操作を行う携帯端末４の現在位置情報と、携帯端末４の端末ＩＤとを含む。携帯端末４の現在位置情報は、管理サーバ１に解錠情報を送信する前に、携帯端末４が取得した位置情報である。
【００２０】
照合部２１は、解錠情報が解錠条件記憶部３５に記憶された解錠条件情報を満たすか否かを照合する。具体的には、照合部２１は、解錠情報受信部１９が受信した鍵装置７の解錠情報に含まれるシリアル番号に一致する解錠条件記憶部３５のレコードを特定する。そして、照合部２１は、解錠情報受信部１９が受信した解錠情報に含まれる現在位置情報が、解錠条件記憶部３５の特定したレコードの位置情報に一致するか否かを照合する。また、照合部２１は、解錠情報受信部１９が受信した解錠情報に含まれる端末ＩＤが、解錠条件記憶部３５の特定したレコードのユーザグループに属するか否かを照合する。
また、照合部２１は、解錠情報が解錠条件情報を満たさない場合に、次に、解錠情報が解錠条件記憶部３５に記憶された施錠時情報を満たすか否かを照合する。具体的には、照合部２１は、解錠情報受信部１９が受信した解錠情報に含まれる現在位置情報と端末ＩＤとが、解錠条件記憶部３５の特定したレコードの施錠時情報に一致するか否かを照合する。
【００２１】
照合結果処理部２２は、照合部２１による照合の結果、照合できた場合には、解錠指示信号を生成する。解錠指示信号は、鍵装置７に対する解錠を指示する信号であり、解錠条件記憶部３５の特定したレコードに有する暗証情報を含む。また、照合結果処理部２２は、照合部２１による照合の結果、照合できなかった場合には、エラーの旨を出力するエラー信号を生成する。
【００２２】
情報送信部２４は、施錠指示信号生成部１６で生成した施錠指示信号や、照合結果処理部２２で生成した解錠指示信号、エラー信号を、携帯端末４に対して送信する。
ユーザ処理部２６は、ユーザ登録に関する処理を行う。具体的には、ユーザ処理部２６は、アカウント情報の登録、ユーザ登録、グループ登録に関する処理を行う。
【００２３】
記憶部３０は、制御部１０が各種の処理を実行するために必要なプログラム、データ等を記憶するためのハードディスク、半導体メモリ素子等の記憶領域である。
記憶部３０は、プログラム記憶部３１と、アカウント記憶部３２と、ユーザ記憶部３３と、グループ記憶部３４と、解錠条件記憶部３５とを備える。
プログラム記憶部３１は、各種のプログラムを記憶するための記憶領域である。プログラム記憶部３１は、管理プログラム３１ａを記憶している。管理プログラム３１ａは、管理サーバ１の制御部１０が実行する各種機能を行うためのプログラムである。
【００２４】
アカウント記憶部３２は、アカウントＩＤと、パスワードと、アカウント名と、端末ＩＤとを記憶する記憶領域である。アカウントＩＤは、アカウントを識別するための識別情報である。アカウントＩＤは、この配送システム１００を利用する集団ごとに設定する。パスワードは、アカウントＩＤに対応する。端末ＩＤは、そのアカウントに属するユーザの端末ＩＤである。
ユーザ記憶部３３は、端末ＩＤと、ユーザ名と、権限とを対応付けて記憶する記憶領域である。権限は、ユーザやグループの編集や閲覧の可否を設定するものである。なお、後述するアカウント作成者は、ユーザやグループの編集や閲覧等の全てを許可する権限を有する。
グループ記憶部３４は、グループＩＤと、グループ名と、端末ＩＤとを対応付けて記憶する記憶領域である。グループＩＤは、後述するグループを識別する識別情報である。端末ＩＤは、そのグループに属するユーザの端末ＩＤである。
【００２５】
解錠条件記憶部３５は、施錠情報等を記憶する記憶領域である。
解錠条件記憶部３５は、図３に示すように、シリアル番号と、解錠条件情報と、暗証情報と、施錠時情報とを有する。
解錠条件情報は、グループ名（グループ情報）と、位置情報とを含む。また、施錠時情報は、施錠操作をした携帯端末４に関する情報であり、施錠情報に含んで携帯端末４から送信される。施錠時情報は、携帯端末４の端末ＩＤと、携帯端末４の現在位置情報とを含む。
【００２６】
図２に戻り、通信インタフェース部３９は、携帯端末４との間での通信を行うためのインタフェースである。
なお、コンピュータとは、制御部、記憶装置等を備えた情報処理装置をいい、管理サーバ１は、制御部１０、記憶部３０等を備えた情報処理装置であり、コンピュータの概念に含まれる。
【００２７】
＜携帯端末４＞
携帯端末４は、鍵装置７を施錠し、及び、解錠する際にユーザが使用する。
図４（Ａ）に示すように、携帯端末４は、制御部４０と、記憶部６０と、タッチパネルディスプレイ６５と、ＧＰＳ（Ｇｌｏｂａｌ  Ｐｏｓｉｔｉｏｎｉｎｇ  Ｓｙｓｔｅｍ）受信部６６と、アンテナ６７と、ＩＣ（Ｉｎｔｅｇｒａｔｅｄ  Ｃｉｒｃｕｉｔ）チップ６８と、通信インタフェース部６９とを備える。
制御部４０は、携帯端末４の全体を制御するＣＰＵである。制御部４０は、記憶部６０に記憶されているＯＳやアプリケーションプログラム（以下、携帯端末４のアプリケーションプログラムを、「アプリ」ともいう。）を適宜読み出して実行することにより、上述したハードウェアと協働し、各種機能を実行する。
【００２８】
制御部４０は、認証部４１と、解錠条件受付部４２（解錠条件受付手段）と、通信確立部４３（情報取得手段）と、位置情報取得部４４（位置情報取得手段）と、情報送信部４５（施錠情報送信手段、解錠情報送信手段）と、情報受信部４７と、指示信号出力部４８（信号送信手段）と、管理画面出力部５０（グループ設定画面出力手段、ユーザ設定画面出力手段）とを備える。
認証部４１は、携帯端末４において鍵使用アプリ６１ａ（後述する）を実行した後、ユーザにより入力されたアカウントＩＤ及びパスワードと、その携帯端末４の端末ＩＤとを送信する。この処理によって、管理サーバ１では、認証処理を行う。
解錠条件受付部４２は、鍵装置７の施錠設定時にユーザが入力した解錠条件情報を受け付ける。
通信確立部４３は、鍵装置７との間で通信を確立する。そして、通信確立部４３は、鍵装置７から、この鍵装置７のシリアル番号を受信する。
位置情報取得部４４は、ＧＰＳ受信部６６を介して携帯端末４の現在位置情報を取得する。
【００２９】
情報送信部４５は、鍵装置７の施錠操作時に、施錠情報を、管理サーバ１に対して送信する。施錠情報は、シリアル番号と、解錠条件情報と、施錠時情報とを含む。
また、情報送信部４５は、鍵装置７の解錠操作時に、解錠情報を、管理サーバ１に対して送信する。解錠情報は、シリアル番号と、携帯端末４の端末ＩＤと、位置情報取得部４４が取得した現在位置情報とを含む。
情報受信部４７は、施錠指示信号、解錠指示信号、エラー信号等を、管理サーバ１から受信する。
指示信号出力部４８は、受信した指示信号が施錠指示信号又は解錠指示信号である場合には、それらの信号を、鍵装置７に対して送信する。
管理画面出力部５０は、ユーザ登録やグループ登録に使用される画面を出力する。
【００３０】
記憶部６０は、制御部４０が各種の処理を実行するために必要なプログラム、データ等を記憶するための半導体メモリ素子等の記憶領域である。記憶部６０は、プログラム記憶部６１を備える。
プログラム記憶部６１は、各種のプログラムを記憶するための記憶領域である。プログラム記憶部６１は、鍵使用アプリ６１ａを記憶している。鍵使用アプリ６１ａは、携帯端末４の制御部４０が実行する各種機能を行うためのプログラムである。
【００３１】
タッチパネルディスプレイ６５は、液晶パネル等で構成される表示部としての機能と、ユーザからの指等によるタッチ入力を検出する入力部としての機能とを有する。
ＧＰＳ受信部６６は、例えば、衛星から受信した電波を利用して、携帯端末４の現在の位置情報（緯度及び経度）を計測するものである。
アンテナ６７は、携帯端末４（ＩＣチップ６８）が鍵装置７との間で近距離無線通信を行うためのアンテナである。
ＩＣチップ６８は、ＮＦＣの規格により作成された非接触ＩＣチップである。ＮＦＣの規格（ＩＳＯ／ＩＥＣ１８０９２（ＮＦＣ  ＩＰ−１）、ＩＳＯ／ＩＥＣ２１４８１（ＮＦＣ  ＩＰ−２））では、１３．５６ＭＨｚの電磁波を使い、１００ｍｍ程度の至近距離でデータ通信を行う近距離無線通信が可能である。
アンテナ６７及びＩＣチップ６８は、携帯端末４を、リーダライタ機能を果たすために用いる。
通信インタフェース部６９は、通信ネットワークＮを介して管理サーバ１との間で通信を行うためのインタフェースである。
なお、コンピュータとは、制御部、記憶装置等を備えた情報処理装置をいい、携帯端末４は、制御部４０、記憶部６０等を備えた情報処理装置であり、コンピュータの概念に含まれる。
【００３２】
＜鍵装置７＞
図４（Ｂ）に示す鍵装置７は、制御部７０と、電気錠７４と、記憶部７５と、アンテナ７７と、ＩＣチップ７８とを備える。
制御部７０は、鍵装置７の全体を制御するＣＰＵである。制御部７０は、記憶部７５に記憶されているＯＳやアプリケーションプログラムを適宜読み出して実行することにより、上述したハードウェアと協働し、各種機能を実行する。
制御部７０は、解錠照合部７１と、錠制御部７２と、記憶制御部７３とを備える。
【００３３】
解錠照合部７１は、携帯端末４から解錠指示信号を受信した場合に、解錠指示信号に含まれる暗証情報が、記憶部７５に記憶された暗証情報に一致するか否かを照合する。
錠制御部７２は、携帯端末４から施錠指示信号を受信した場合に、電気錠７４を施錠するように制御する。また、錠制御部７２は、携帯端末４から解錠指示信号を受信した場合に、解錠照合部７１による照合の結果、照合ができたときには、電気錠７４を解錠するように制御する。
記憶制御部７３は、携帯端末４から施錠指示信号を受信した場合に、施錠指示信号に含まれる暗証情報を、記憶部７５に記憶させる。また、記憶制御部７３は、携帯端末４から解錠指示信号を受信した場合に、錠制御部７２によって電気錠７４を解錠制御したときには、記憶部７５に記憶された暗証情報を消去する。
【００３４】
電気錠７４は、電気的に施解錠をする機構を組み込んだ錠前である。
記憶部７５は、制御部７０が各種の処理を実行するために必要なプログラム、データ等を記憶するための半導体メモリ素子等の記憶領域である。記憶部７５は、シリアル番号を記憶している。
アンテナ７７及びＩＣチップ７８は、携帯端末４のアンテナ６７及びＩＣチップ６８と同様である。
【００３５】
次に、ユーザが配送システム１００を利用する場合に、ユーザが携帯端末４を使用して行う事前設定に関する処理について、具体例に基づいて説明する。
図５は、第１実施形態に係る配送システム１００の適用例を説明するための図である。
図６は、第１実施形態に係る携帯端末４での表示例を示す図である。
図７は、第１実施形態に係る管理サーバ１のユーザ記憶部３３及びグループ記憶部３４の例を示す図である。
なお、以下に示す例では、図５に示すように、配送システム１００を、企業Ｋにおいて、複数の拠点（拠点Ａ，Ｂ，Ｃ，Ｄ）に荷物等を配送する社内便に利用するものとして説明する。
図５に示す配送システム１００は、配送容器９の配送を、拠点ＡＢ間、ＡＤ間、ＢＣ間で行う。よって、拠点ＢＤ間の配送容器９は、拠点Ａを介して配送され、拠点ＡＣ間の配送容器９は、拠点Ｂを介して配送される。
【００３６】
そして、拠点Ａでは、拠点Ａを含むグループ名が設定されている配送容器９については、鍵装置７の施錠及び解錠を行うことができる。具体的には、「Ａ⇔Ｂ」、「Ａ⇔Ｃ」、「Ａ⇔Ｄ」で使用する配送容器９については、拠点Ａで鍵装置７の施錠及び解錠を行うことができる。また、拠点Ａでは、拠点Ａを含むグループ名に属するユーザであれば、鍵装置７の施錠及び解錠を行うことができる。具体的には、ユーザＡ１は、グループ名「Ａ⇔Ｂ」、「Ａ⇔Ｃ」、「Ａ⇔Ｄ」のいずれにも属するため、「Ａ⇔Ｂ」、「Ａ⇔Ｃ」、「Ａ⇔Ｄ」で使用する配送容器９については、鍵装置７の解錠を行うことができる。
【００３７】
＜アカウント設定＞
例えば、企業Ｋの情報システム部門のユーザ等、最初にこの配送システム１００を利用するユーザであるアカウント作成者Ｋ１は、自身の携帯端末４を、例えば、通信ネットワークＮを介してアプリ配信サーバ（図示せず）との間で通信させる。アプリ配信サーバは、様々な種類のアプリを記憶し、ダウンロードが可能なサーバである。そして、携帯端末４の制御部４０は、アプリ配信サーバから鍵使用アプリ６１ａをダウンロードして、プログラム記憶部６１に記憶させる。
【００３８】
次に、アカウント作成者Ｋ１がこの鍵使用アプリ６１ａを実行させると、携帯端末４の制御部４０は、図６（Ａ）に示すログイン画面８０を、タッチパネルディスプレイ６５に出力させる。そこで、アカウント作成者Ｋ１は、アカウント新規作成のためのボタン８０ａを選択することで、制御部４０は、アカウントＩＤ、パスワード及びアカウント名を含むアカウント情報と、ユーザ名とを設定するための図示しないアカウント設定画面を、タッチパネルディスプレイ６５に出力させる。アカウント作成者Ｋ１は、アカウント設定画面に対して入力することで、制御部４０（認証部４１）は、管理サーバ１に入力内容を送信し、管理サーバ１の制御部１０（認証処理部１１）は、アカウント情報、ユーザ名及び端末ＩＤを受信する。制御部１０（認証処理部１１、ユーザ処理部２６）は、アカウント情報を、アカウント記憶部３２に記憶させる。また、制御部１０（ユーザ処理部２６）は、ユーザ名と、携帯端末４の端末ＩＤとを、ユーザ記憶部３３に記憶させる。その際、制御部１０は、全ての処理を許可する「ａｌｌ」を権限に設定する。
【００３９】
このアカウントＩＤ及びパスワードは、企業Ｋのユーザが共通で使用する。そのため、アカウント作成者Ｋ１は、企業Ｋの各ユーザに電子メール等で、アカウントＩＤ及びパスワードを知らせる。その際、アプリ配信サーバへ接続するためのＵＲＩ（Ｕｎｉｆｏｒｍ  Ｒｅｓｏｕｒｃｅ  Ｉｄｅｎｔｉｆｉｅｒ）や、鍵使用アプリ６１ａのアプリ名も共に知らせて、各ユーザの携帯端末４に、鍵使用アプリ６１ａをダウンロードさせやすくしてもよい。
【００４０】
＜グループ登録＞
アカウント設定が行われると、アカウント作成者Ｋ１の携帯端末４には、図６（Ｂ）に示すメニュー画面８１が表示される。そこで、アカウント作成者Ｋ１は、管理メニューに遷移するためのボタン８１ｃを選択し、図示しない管理メニューからグループ登録のためのボタンを選択することで、携帯端末４の制御部４０（管理画面出力部５０）は、図６（Ｃ）に示す登録グループ一覧画面８２（グループ設定画面）を、タッチパネルディスプレイ６５に表示させる。アカウント作成者Ｋ１は、新たなグループを設定する場合には、新規作成のボタン８２ａを選択してグループを入力することで、新たなグループ名を登録する。登録されたグループは、一覧表示部８２ｂに一覧表示される。ここで、図５に示すような拠点Ａから拠点Ｄまでの間での社内便で、配送システム１００を利用する場合、「Ａ⇔Ｂ」、「Ａ⇔Ｃ」、「Ａ⇔Ｄ」、「Ｂ⇔Ｃ」、「Ｂ⇔Ｄ」、「Ｃ⇔Ｄ」の６つのグループを設定する。図６（Ｃ）は、アカウント作成者Ｋ１によって、６つのグループが設定された状態を示す。
【００４１】
＜ユーザ登録＞
企業Ｋの各ユーザは、自身の携帯端末４を、アプリ配信サーバとの間で通信させて、鍵使用アプリ６１ａをダウンロードさせて記憶させる。
次に、ユーザが携帯端末４を使用してこの鍵使用アプリ６１ａを実行させると、携帯端末４の制御部４０は、図６（Ａ）に示すログイン画面８０を出力する。そこで、ユーザは、予めアカウント作成者Ｋ１から通知されたアカウントＩＤ及びパスワードを入力して、ログインのボタン８０ｂを選択することで、ログインを行う。携帯端末４の制御部４０（認証部４１）は、アカウントＩＤ及びパスワードの他、この携帯端末４の端末ＩＤを、管理サーバ１に送信する。
【００４２】
管理サーバ１の制御部１０（認証処理部１１）は、アカウントＩＤ及びパスワードに一致するアカウント記憶部３２のレコードを特定する。レコードが特定できた場合には、制御部１０（認証処理部１１）は、受信した端末ＩＤが、特定したレコードに対応付けられているか否かを確認する。初めてログインした場合には、その携帯端末４の端末ＩＤは、特定したレコードに対応付けられていない。そのため、管理サーバ１の制御部１０（ユーザ処理部２６）は、ユーザ名を登録するための図示しない登録申請画面を、携帯端末４に対して送信し、ユーザにユーザ名を登録させる。
【００４３】
管理サーバ１の制御部１０（ユーザ処理部２６）は、ユーザ名及び端末ＩＤを受信した場合に、受信したユーザ名及び端末ＩＤを、ユーザ記憶部３３に記憶させる。図７（Ａ）は、ユーザ記憶部３３の例を示す。
また、制御部１０（ユーザ処理部２６）は、受信した端末ＩＤを、アカウント記憶部３２の対応するレコードに記憶させる。この処理を、各ユーザが各々の携帯端末４を使用して行うことで、１つのアカウントＩＤには、複数の端末ＩＤが登録される。
【００４４】
＜ユーザのグループ設定＞
各ユーザがユーザ登録をすることで、ユーザ記憶部３３に各ユーザの情報が登録された後に、アカウント作成者Ｋ１は、携帯端末４を使用してグループに属するユーザを設定するグループ設定を行う。
図６（Ｃ）に示す登録グループ一覧画面８２において、編集するグループを選択させた状態で（図６（Ｃ）では、グループ名「Ａ⇔Ｂ」が選択されている）、編集のためのボタン８２ｃを選択することで、携帯端末４の制御部４０（管理画面出力部５０）は、図６（Ｄ）に示すグループ編集画面８３（ユーザ設定画面）を、タッチパネルディスプレイ６５に出力する。そこで、アカウント作成者Ｋ１は、表示されたグループ名に、グループ名が示す拠点に在籍するユーザを追加することで、管理サーバ１の制御部１０（ユーザ処理部２６）は、グループ記憶部３４の該当のグループＩＤに、追加したユーザの端末ＩＤを対応付ける。図７（Ｂ）は、グループ記憶部３４の例を示す。
なお、管理サーバ１は、端末ＩＤの他に、そのユーザの在籍する拠点情報を対応付けてユーザ記憶部３３に記憶させておくことで、グループ編集画面８３に表示させるユーザを、該当する拠点のユーザのみにすることができる。
【００４５】
＜ユーザの権限設定＞
ユーザ記憶部３３に各ユーザの情報が登録された後に、アカウント作成者Ｋ１は、携帯端末４を使用して各ユーザの権限を設定することができる。権限としては、グループ内にユーザを追加する「メンバ追加」、グループ内のユーザを閲覧する「メンバ閲覧」、新たなグループを設定する「グループ設定」、権限を変更する「権限変更」等がある。
例えば、アカウント作成者Ｋ１は、拠点ごとに１人のユーザに対して「メンバ追加」を設定する場合がある。その場合には、アカウント作成者Ｋ１の携帯端末４に表示された図６（Ｂ）に示すメニュー画面８１で、アカウント作成者Ｋ１が管理メニューに遷移するためのボタン８１ｃを選択する。そして、図示しない管理メニューから登録メンバ一覧を表示させて、登録メンバ一覧のリスト上で、対象のユーザの権限を、「メンバ追加」に設定する。図７（Ａ）に示すユーザ記憶部３３は、ユーザ名「Ａ１」に、権限「メンバ追加」が設定されている。
このように、ユーザに権限を設定することで、アカウント作成者Ｋ１の他に、権限が設定されたユーザも、メンバやグループの管理を行うことができる。
【００４６】
＜鍵装置７の配布＞
配送システム１００の運営会社等は、必要個数の鍵装置７を、企業Ｋに配布する。企業Ｋでは、アカウント作成者Ｋ１が、各鍵装置７を、配送容器９が備えられた各拠点に配布する。
【００４７】
＜施錠処理＞
次に、実際に、携帯端末４を使用して、配送対象の荷物を収容した配送容器９に取り付けられた鍵装置７を施錠する処理について説明する。
図８は、第１実施形態に係る配送システム１００での施錠処理を示すフローチャートである。
図９は、第１実施形態に係る携帯端末４での表示例を示す図である。
【００４８】
まず、ユーザは、事前に配送容器９に荷物を収容しておく。そして、ユーザは、携帯端末４を操作して鍵使用アプリ６１ａを実行し、ログイン後に出力される図６（Ｂ）に示すメニュー画面８１から、施錠のためのボタン８１ａを選択する。そうすることで、図８のステップＳ（以下、単に「Ｓ」という。）１０において、携帯端末４の制御部４０は、例えば、図９（Ａ）に示す施錠設定画面８４を、タッチパネルディスプレイ６５に出力させる。
【００４９】
施錠設定画面８４は、リストボックス８４ａからグループ名（「Ａ⇔Ｂ」、「Ａ⇔Ｃ」等）を選択し、リストボックス８４ｂから解錠場所（「拠点Ａ」、「拠点Ｂ」、「拠点Ｃ」等）を選択して、鍵装置７及び管理サーバ１との間で通信を行うための画面である。制御部４０（グループリスト出力手段）は、リストボックス８４ａに、グループ記憶部３４に記憶されたグループ名をリスト形式で出力させる。なお、制御部４０（グループリスト出力手段）は、リストボックス８４ａに、携帯端末４のユーザが属する拠点を含むグループだけを抽出して、そのグループ名をリスト表示するようにしてもよい。ここで、ユーザは、まず、このユーザ自身の拠点と配送容器９の配送先の拠点とを含むグループ名を選択する。また、ユーザは、配送容器９の配送先の拠点を、リストボックス８４ｂから選択する。ここで、制御部４０は、リストボックス８４ｂを、リストボックス８４ａに連動させて、配送先の拠点を自動的に選択するようにしてもよい。
【００５０】
次に、ユーザが、施錠設定画面８４の通信ボタン８４ｃを選択することで、Ｓ１１において、制御部４０（通信確立部４３）は、鍵装置７との間で通信を確立する。そして、制御部４０は、鍵装置７に対してシリアル番号の要求信号を送信する。
Ｓ１２において、鍵装置７の制御部７０は、要求信号を受信し、記憶部７５に記憶されたシリアル番号を取得して、送出する。
Ｓ１３において、携帯端末４の制御部４０（通信確立部４３）は、鍵装置７から送出されたシリアル番号を受信する。そして、制御部４０（位置情報取得部４４）は、現在位置情報を取得し、制御部４０（情報送信部４５）は、シリアル番号と、施錠設定画面８４で設定したグループ名及び配送先の拠点と、施錠時情報として携帯端末４の現在位置情報及び端末ＩＤとを施錠情報として、管理サーバ１に対して送信する。
【００５１】
Ｓ１４において、管理サーバ１の制御部１０（施錠情報受信部１３）は、施錠情報を受信する。
Ｓ１５において、制御部１０（暗証生成部１４）は、暗証情報としてワンタイムパスワードを生成する。
Ｓ１６において、制御部１０（記憶制御部１５）は、暗証情報と、施錠情報とを、解錠条件記憶部３５に記憶させる。
Ｓ１７において、制御部１０（施錠指示信号生成部１６）は、施錠指示信号を生成する。施錠指示信号は、施錠を指示する信号であり、Ｓ１５で生成した暗証情報を含む。そして、制御部１０（情報送信部２４）は、施錠指示信号を、携帯端末４に送信する。その後、制御部１０は、本処理を終了する。
【００５２】
Ｓ１８において、携帯端末４の制御部４０（情報受信部４７）は、施錠指示信号を受信する。そして、制御部４０（指示信号出力部４８）は、施錠指示信号を鍵装置７に送信する。
Ｓ１９において、鍵装置７の制御部７０は、施錠指示信号を受信する。そして、制御部７０（錠制御部７２）は、施錠指示信号に基づいて、電気錠７４を施錠する。また、制御部７０（記憶制御部７３）は、暗証情報を、記憶部７５に記憶させる。
Ｓ２０において、制御部７０は、完了信号を携帯端末４に送信する。その後、制御部７０は、本処理を終了する。
Ｓ２１において、携帯端末４の制御部４０は、完了信号を受信し、施錠された旨の表示を、タッチパネルディスプレイ６５に出力する。その後、制御部４０は、本処理を終了する。
【００５３】
このように、配送システム１００では、管理サーバ１、携帯端末４及び鍵装置７による一連の処理によって、鍵装置７の施錠を行うことができる。
そして、施錠された鍵装置７が取り付けられた配送容器９は、施錠された状態で配送先に配送することができる。
【００５４】
＜解錠処理＞
次に、配送先において、携帯端末４を使用して、配送対象の荷物を収容した配送容器９に対する鍵装置７を解錠する場合について説明する。なお、配送前に、鍵装置７が施錠された後であって、配送前に配送容器９を解錠したい場合についても、あわせて説明する。
図１０及び図１１は、第１実施形態に係る配送システム１００での解錠処理を示すフローチャートである。
鍵装置７を解錠したいユーザは、自身の携帯端末４の鍵使用アプリ６１ａを実行し、ログイン後に出力される図６（Ｂ）に示すメニュー画面８１から、解錠のためのボタン８１ｂを選択する。そうすることで、図１０のＳ３０において、携帯端末４の制御部４０（位置情報取得部４４）は、現在位置情報を取得する。
【００５５】
次に、Ｓ３１において、制御部４０は、例えば、図９（Ｂ）に示す解錠画面８５を、タッチパネルディスプレイ６５に出力させる。
解錠画面８５は、鍵装置７及び管理サーバ１との間で通信を行うための画面である。また、解錠画面８５は、この携帯端末４の現在位置情報を、位置表示領域８５ａに表示させる。
ここで、Ｓ３０の処理とＳ３１の処理とは、同時に行ってもよいし、Ｓ３１の処理の後にＳ３０の処理を行ってもよい。現在位置情報の取得に時間がかかる場合を考慮したものである。その場合には、例えば、現在位置情報が取得できたところで、位置表示領域８５ａに携帯端末４の現在位置情報を更新表示すればよい。
ユーザが、解錠画面８５の通信ボタン８５ｂを選択することで、Ｓ３２において、携帯端末４の制御部４０（通信確立部４３）は、鍵装置７との間で通信を確立する。そして、制御部４０は、鍵装置７に対してシリアル番号の要求信号を送信する。
【００５６】
Ｓ３３において、鍵装置７の制御部７０は、要求信号を受信したことに応じて、記憶部７５に記憶されたシリアル番号を取得して、送出する。
Ｓ３４において、携帯端末４の制御部４０（通信確立部４３）は、鍵装置７から送出されたシリアル番号を受信する。そして、制御部４０（情報送信部４５）は、シリアル番号と、携帯端末４の現在位置情報及び端末ＩＤとを解錠情報として、管理サーバ１に対して送信する。
【００５７】
Ｓ３５において、管理サーバ１の制御部１０（解錠情報受信部１９）は、解錠情報を受信する。
Ｓ３６において、制御部１０（照合部２１）は、解錠情報に含まれるシリアル番号に一致する解錠条件記憶部３５のレコードを特定する。なお、レコードが特定できなかった場合には、制御部１０は、処理をＳ３９に移す。特定できなかった場合とは、例えば、別のアカウントＩＤを使用して施錠されている場合等が該当する。
【００５８】
Ｓ３７において、制御部１０（照合部２１）は、特定したレコードに含まれる解錠条件情報と、受信した解錠情報に含まれる現在位置情報及び端末ＩＤとを照合することで、解錠情報に含まれる現在位置情報及び端末ＩＤが、解錠条件情報を満たすか否かを判断する。照合の結果、照合できた場合（Ｓ３７：ＹＥＳ）には、制御部１０は、処理をＳ４０に移す。照合できた場合とは、携帯端末４のユーザの位置が、施錠時に設定した配送先であり、かつ、グループ記憶部３４を参照して携帯端末４の端末ＩＤに対応するグループ名が、施錠時に設定したグループ名に一致する場合である。ここで、後者の条件は、携帯端末４のユーザが、設定したグループに属する場合を示す。他方、照合の結果、照合できなかった場合（Ｓ３７：ＮＯ）には、制御部１０は、処理をＳ３８に移す。
【００５９】
Ｓ３８において、制御部１０（照合部２１）は、特定したレコードに含まれる施錠時情報と、受信した解錠情報に含まれる現在位置情報及び端末ＩＤとを照合することで、解錠情報に含まれる現在位置情報及び端末ＩＤが、施錠時情報に一致するか否かを判断する。
照合の結果、照合できた場合（Ｓ３８：ＹＥＳ）には、制御部１０は、処理をＳ４０に移す。照合できた場合とは、施錠時のユーザが、施錠時と同じ場所で解錠操作を行った場合が該当する。ここで、鍵装置７が施錠された後、配送容器９を解錠したい場合がある。例えば、配送容器９に入れてしまった不必要な荷物を取り出したい場合や、必要な荷物を入れ忘れたので、追加で入れたい場合が該当する。そのような場合であっても、制御部１０は、施錠時の情報と照合することで、施錠時と同じ場所において同じユーザによる解錠操作であれば解錠を許容する。そうすることで、配送システム１００を、利便性を高めたものにすることができる。
【００６０】
他方、照合の結果、照合できなかった場合（Ｓ３８：ＮＯ）には、制御部１０は、処理をＳ３９に移す。照合できなかった場合とは、配送先の位置ではない位置で解錠しようとした場合（図５の（＃ａ）参照）や、配送先の位置であっても、設定されたグループのユーザではない者が解錠しようとした場合（図５の（＃ｂ）参照）等が該当する。
【００６１】
Ｓ３９において、制御部１０（照合結果処理部２２）は、エラー信号を生成する。そして、制御部１０（情報送信部２４）は、生成したエラー信号を、携帯端末４に送信する。その後、制御部１０は、本処理を終了する。
Ｓ４０において、制御部１０（照合結果処理部２２）は、解錠指示信号を生成する。そして、制御部１０（情報送信部２４）は、生成した解錠指示信号を、携帯端末４に送信する。解錠指示信号は、解錠を指示する信号であり、解錠条件記憶部３５の特定したレコードに有する暗証情報を含む。その後、制御部１０は、本処理を終了する。
【００６２】
図１１のＳ４１において、携帯端末４の制御部４０（情報受信部４７）は、解錠指示信号を受信したか否かを判断する。解錠指示信号を受信した場合（Ｓ４１：ＹＥＳ）には、制御部４０は、処理をＳ４２に移す。他方、解錠指示信号を受信していない場合（Ｓ４１：ＮＯ）、つまり、エラー信号を受信した場合には、制御部４０は、処理をＳ５０に移す。
Ｓ４２において、制御部４０（指示信号出力部４８）は、解錠指示信号を、鍵装置７に送信する。その後、制御部４０は、処理をＳ４８に移す。
【００６３】
Ｓ４３において、鍵装置７の制御部７０は、解錠指示信号を受信する。そして、制御部７０（解錠照合部７１）は、解錠指示信号に含まれる暗証情報と、記憶部７５に記憶されている暗証情報とを照合する。
Ｓ４４において、制御部７０は、照合できたか否かを判断する。照合できた場合（Ｓ４４：ＹＥＳ）には、制御部７０は、処理をＳ４５に移す。他方、照合できなかった場合（Ｓ４４：ＮＯ）には、制御部７０は、処理をＳ４７に移す。ここで、照合できた場合は、正規なユーザによって、正規な処理がされた場合である。他方、照合できなかった場合は、例えば、正規ではない第三者により、不正に生成された信号を受信した場合である。
【００６４】
Ｓ４５において、制御部７０（錠制御部７２）は、解錠処理を行う。具体的には、制御部７０は、受信した解錠指示信号に基づいて、電気錠７４を解錠する。
Ｓ４６において、制御部７０は、完了信号を送出する。また、鍵装置７は、記憶部７５に記憶された暗証情報を消去する。その後、制御部７０は、本処理を終了する。
Ｓ４７において、制御部７０は、エラー信号を生成して送出する。なお、この場合には、制御部７０は、電気錠７４を解錠しない。その後、制御部７０は、本処理を終了する。
【００６５】
Ｓ４８において、携帯端末４の制御部４０は、鍵装置７から受信した信号が完了信号であるか否かを判断する。完了信号を受信した場合（Ｓ４８：ＹＥＳ）には、制御部４０は、処理をＳ４９に移し、解錠された旨の表示を、タッチパネルディスプレイ６５に出力する。その後、制御部４０は、本処理を終了する。他方、完了信号を受信しなかった場合（Ｓ４８：ＮＯ）には、制御部４０は、処理をＳ５０に移す。
Ｓ５０において、制御部４０は、エラー信号に対応したエラー画面を、タッチパネルディスプレイ６５に出力する。その後、制御部４０は、本処理を終了する。
【００６６】
このように、第１実施形態の配送システム１００によれば、以下のような効果がある。
（１）鍵装置７を解錠可能な位置と、解錠可能なユーザグループとを、施錠時に携帯端末４を使用して登録することで、鍵装置７を施錠させ、解錠可能な位置で、解錠可能なユーザによる携帯端末４を使用した解錠処理によって、初めて鍵装置７を解錠できる。よって、解錠可能な位置以外では、鍵装置７を解錠できず、また、解錠可能なユーザ以外では、鍵装置７を解錠できないので、配送中の覗き見を防止でき、配送中に盗難にあった場合であっても、配送容器９を開けることができないようにできる。
（２）ユーザの携帯端末４を用いて鍵装置７の施錠及び解錠をするため、ユーザ自身が所持する携帯端末４を使用すればよく、システム構築を簡単に行うことができる。
また、鍵装置７は、施錠時及び解錠時に、シリアル番号を送出し、解錠時に受信した暗証情報と照合するだけの処理を行うものであるため、鍵装置７を安価に製造でき、配送システム１００を安価に構築できる。
【００６７】
（３）施錠時の位置であって、施錠したユーザによる解錠を許可するので、例えば、配送前に配送容器９への出し入れを行いたい場合に、解錠できる。よって、運用面においてより柔軟な対応が可能な配送システム１００を提供できる。
（４）施錠時に管理サーバ１で生成した暗証情報を鍵装置７に記憶させておき、解錠時に、管理サーバ１に記憶された暗証情報と、施錠時に鍵装置７に記憶した暗証情報とが合致した場合にのみ解錠を行うようにする。よって、なりすましによって解錠指示信号を鍵装置７に送信しても、暗証情報が合致することがなく、解錠不可にでき、セキュリティ性を向上できる。
【００６８】
（５）施錠及び解錠を許可するユーザを含んだユーザグループを使用して、解錠条件情報を設定するので、複数のユーザのいずれかが解錠する場合にも適用でき、柔軟な運用に耐えうるシステムにできる。
【００６９】
（第２実施形態）
第２実施形態では、時間指定の配送に用いる場合について説明する。なお、以降の説明において、上述した第１実施形態と同様の機能を果たす部分には、同一の符号又は末尾に同一の符号を付して、重複する説明を適宜省略する。
＜配送システム２００の全体構成＞
図１２は、第２実施形態に係る管理サーバ２０１の機能ブロックを示す図である。
図１３は、第２実施形態に係る管理サーバ２０１の解錠条件記憶部２３５の項目例を示す図である。
配送システム２００は、管理サーバ２０１と、携帯端末４と、鍵装置７とを備える。
【００７０】
＜管理サーバ２０１＞
図１２に示すように、管理サーバ２０１は、制御部２１０と、記憶部２３０と、通信インタフェース部３９とを備える。
管理サーバ２０１の制御部２１０は、認証処理部１１と、施錠処理部１２と、解錠処理部２１８と、情報送信部２４と、ユーザ処理部２６とを備える。
解錠処理部２１８は、解錠情報受信部１９と、日時取得部２２０と、照合部２２１と、照合結果処理部２２とを備える。
日時取得部２２０は、現在日時の日時情報を取得する。日時情報は、例えば、管理サーバ２０１に時計を有してもよいし、電波時計のように外部から取得してもよい。
【００７１】
照合部２２１は、解錠情報が解錠条件記憶部２３５に記憶された解錠条件情報を満たすか否かを照合する。具体的には、照合部２２１は、解錠情報受信部１９が受信した解錠情報に含まれるシリアル番号に一致する解錠条件記憶部２３５のレコードを特定する。そして、照合部２２１は、解錠情報受信部１９が受信した解錠情報に含まれる現在位置情報が、解錠条件記憶部２３５の特定したレコードの位置情報に一致するか否かを照合する。また、照合部２２１は、解錠情報受信部１９が受信した解錠情報に含まれる端末ＩＤが、解錠条件記憶部２３５の特定したレコードのユーザグループに属するか否かを照合する。さらに、照合部２２１は、日時取得部２２０で取得した日時情報が、解錠条件記憶部２３５の特定したレコードの日時情報に合致するか否かを照合する。
【００７２】
また、照合部２２１は、解錠条件情報を満たさない場合には、解錠情報と、日時取得部２２０で取得した日時情報とが、解錠条件記憶部２３５に記憶された施錠時情報及び臨時情報を満たすか否かを照合する。具体的には、照合部２２１は、解錠情報受信部１９が受信した解錠情報に含まれる現在位置情報及び端末ＩＤが、解錠条件記憶部２３５の特定したレコードの施錠時情報に一致するか否かを照合する。また、照合部２２１は、日時取得部２２０で取得した日時情報が、解錠条件記憶部２３５の特定したレコードの臨時情報に含まれるか否かを照合する。
【００７３】
記憶部２３０は、プログラム記憶部２３１と、アカウント記憶部３２と、ユーザ記憶部３３と、グループ記憶部３４と、解錠条件記憶部２３５とを備える。
プログラム記憶部２３１は、管理サーバ２０１の制御部２１０が実行する各種機能を行うためのプログラムである管理プログラム２３１ａを記憶している。
解錠条件記憶部２３５は、図１３に示すように、シリアル番号と、解錠条件情報と、臨時情報と、暗証情報と、施錠時情報とを有する。
解錠条件情報は、グループ名と、位置情報と、日時情報とを含む。臨時情報は、緊急での解錠を許可する時間に関する情報である緊急解錠時間を含む。
なお、携帯端末４及び鍵装置７は、第１実施形態と同様である。
【００７４】
次に、ユーザが配送システム２００での処理について説明する。
図１４は、第２実施形態に係る配送システム２００の適用例を説明するための図である。
図１４に示す例では、配送システム２００を、試験管理団体Ｍにおいて、複数の拠点（拠点Ｘ，Ｙ，Ｚ）に試験問題の問題用紙を配送する際に利用するものとして説明する。ここで、問題用紙は、試験開始直前までその内容が漏れないようにしなければならない。そのため、試験管理団体Ｍは、配送容器９に問題用紙を収容して鍵装置７による施錠をし、各拠点において、試験開始直前に、初めて解錠可能になるのが望ましい。
【００７５】
アカウント設定は、例えば、試験管理団体Ｍのアカウント作成者Ｍ１が行う。
また、アカウント作成者Ｍ１は、グループ登録として、拠点Ｘから拠点Ｚまでの３つのグループを設定する。
そして、アカウント作成者Ｍ１は、拠点Ｘから拠点ＺまでのスタッフであるユーザにアカウントＩＤ及びパスワードを連絡し、拠点Ｘから拠点Ｚのユーザ（この例では、ユーザＸ１，Ｙ１，Ｚ１）は、連絡されたアカウントＩＤ及びパスワードを使用してログインして、この配送システム２００を利用できるようにする。
アカウント作成者Ｍ１は、ユーザによるログイン完了後に、ユーザのグループ登録を行う。
なお、これらの事前処理の方法は、第１実施形態と同様のため、詳細な説明を省略する。
【００７６】
＜施錠処理＞
次に、実際に、携帯端末４を使用して、配送対象の荷物を収容した配送容器９に取り付けられた鍵装置７を施錠する処理について説明する。
図１５は、第２実施形態に係る配送システム２００での施錠処理を示すフローチャートである。
図１６は、第２実施形態に係る携帯端末４での表示例を示す図である。
まず、事前に、試験管理団体Ｍでは、拠点Ｘ，Ｙ，Ｚに配送する配送容器９に問題用紙を収容しておく。そして、配送システム２００の運営会社等により、試験管理団体Ｍに配布された鍵装置７を使って施錠をする。
【００７７】
図１５のＳ２１０において、携帯端末４の制御部４０は、図１６に示す施錠設定画面２８４を、タッチパネルディスプレイ６５に出力させる。
施錠設定画面２８４は、ユーザによる入力を行うものとして、リストボックス２８４ａと、住所入力部２８４ｂと、時間入力部２８４ｃと、臨時入力部２８４ｄとを備える。
リストボックス２８４ａは、拠点Ｘから拠点Ｚまでのいずれかを指定するためのものである。このリストボックス２８４ａに選択可能に表示されるグループは、事前にグループ設定をしたものである。
住所入力部２８４ｂは、解錠を許可する場所の住所を入力するためのものである。なお、住所を手入力してもよいが、「地図」ボタンを選択し、別画面として表示された地図情報から位置を指定させることで入力してもよい。
時間入力部２８４ｃは、解錠を許可する時間を入力するためのものである。入力する時間は、ＦＲＯＭ−ＴＯを入力することで範囲を指定してもよいし、ＦＲＯＭのみを入力することで、指定した時間以降であれば、いつでも解錠を許可するようにしてもよい。
臨時入力部２８４ｄは、緊急解錠時間を入力するためのものである。例えば、配送前の時間を指定することができる。
【００７８】
図１５のＳ２１１及びＳ２１２の処理は、第１実施形態（図８）のＳ１１及びＳ１２の処理と同様である。
Ｓ２１３において、制御部４０（位置情報取得部４４、情報送信部４５）は、施錠情報として、シリアル番号と、施錠設定画面２８４で設定したグループ名、解錠場所、解錠時間、緊急解錠時間と、施錠時情報として携帯端末４の現在位置情報及び端末ＩＤとを、管理サーバ２０１に対して送信する。
Ｓ２１４及びＳ２１５の処理は、第１実施形態（図８）のＳ１４及びＳ１５の処理と同様である。
Ｓ２１６において、管理サーバ２０１の制御部２１０（記憶制御部１５）は、暗証情報と、施錠情報とを、解錠条件記憶部２３５の各項目に記憶させる。
Ｓ２１７以降の処理は、第１実施形態（図８）のＳ１７以降の処理と同様である。
【００７９】
＜解錠処理＞
図１７は、第２実施形態に係る配送システム２００での解錠処理を示すフローチャートである。なお、図１７に続くフローチャートは、第１実施形態の図１１と同様であるので、その説明を省略する。
Ｓ２３０からＳ２３６までの処理は、第１実施形態（図１０）のＳ３０からＳ３６までの処理と同様である。
Ｓ２３６ａにおいて、管理サーバ２０１の制御部２１０（日時取得部２２０）は、日時取得処理を行う。
Ｓ２３７において、制御部２１０（照合部２２１）は、特定したレコードに含まれる解錠条件情報と、受信した解錠情報に含まれる現在位置情報及び端末ＩＤ並びに日時取得処理で取得した日時情報とを照合することで、解錠情報に含まれる現在位置情報及び端末ＩＤ並びに日時情報が、解錠条件を満たすか否かを判断する。照合の結果、照合できた場合（Ｓ２３７：ＹＥＳ）には、制御部２１０は、処理をＳ２４０に移す。他方、照合の結果、照合できなかった場合（Ｓ２３７：ＮＯ）には、制御部２１０は、処理をＳ２３８に移す。
【００８０】
Ｓ２３８において、制御部２１０（照合部２２１）は、特定したレコードに含まれる施錠時情報及び臨時情報と、受信した解錠情報に含まれる現在位置情報及び端末ＩＤ並びに日付取得処理で取得した日時情報とを照合することで、解錠情報に含まれる現在位置情報及び端末ＩＤが、施錠時情報に一致し、現在の日時が緊急解錠時間内であるか否かを判断する。照合の結果、照合できた場合（Ｓ２３８：ＹＥＳ）には、制御部２１０は、処理をＳ２４０に移す。他方、照合の結果、照合できなかった場合（Ｓ２３８：ＮＯ）には、制御部２１０は、処理をＳ２３９に移す。
Ｓ２３９以降の処理は、第１実施形態（図１０及び図１１）のＳ３９以降の処理と同様である。
【００８１】
このように、第２実施形態の配送システム２００によれば、以下のような効果がある。
（１）解錠可能な日時を含んで、施錠時に携帯端末４を使用して登録することで、鍵装置７を施錠させ、解錠可能な位置で、解錠可能な日時に、解錠可能なユーザによる携帯端末４を使用した解錠処理によって、初めて鍵装置７を解錠できる。よって、日時に関する条件を加えることによって、さらにセキュリティ性が向上できる。
（２）緊急解錠期間を施錠時に設定でき、例えば、配送容器９が施錠したユーザの手元から離れる時間を緊急解錠期間として設定することで、緊急解錠期間内であれば、配送容器９への出し入れを行いたい場合に解錠できる。よって、緊急解錠期間を越えた場合には、配送前であっても解錠できなくすることで、セキュリティ性を更に向上できる。
【００８２】
以上、本発明の実施形態について説明したが、本発明は上述した実施形態に限定されるものではない。また、実施形態に記載した効果は、本発明から生じる最も好適な効果を列挙したに過ぎず、本発明による効果は、実施形態に記載したものに限定されない。なお、上述した実施形態及び後述する変形形態は、適宜組み合わせて用いることもできるが、詳細な説明は省略する。
【００８３】
（変形形態）
（１）各実施形態では、グループ登録を行うものを例に説明したが、これに限定されない。例えば、解錠を許可するユーザを設定せず、解錠可能な位置であり、かつ、解錠可能な時間であれば、その位置及び時間で用いられる携帯端末によって、鍵装置を解錠するようにしてもよい。そのようにすることで、アカウントＩＤ及びパスワードを知るユーザであれば、配送容器を開けることができ、本システムを、利便性を優先した使用に適用できる。
（２）各実施形態では、携帯端末と鍵装置とをＮＦＣによる近距離無線通信を利用するものとして説明したが、これに限定されない。Ｂｌｕｅｔｏｏｔｈ（登録商標）等を利用した近距離無線通信であってもよい。
【００８４】
（３）各実施形態で説明した施錠設定画面及び解錠画面は、一例である。第１実施形態の解錠場所を、住所を指定するものであってもよいし、第２実施形態の解錠場所を、リストから選択するようにしてもよい。
（４）各実施形態で説明したアカウント記憶部、ユーザ記憶部及びグループ記憶部は、一例である。アカウントごとにユーザ及びグループが管理できるものであれば、他の保有方法であってもよい。
【符号の説明】
【００８５】
１，２０１  管理サーバ
４    携帯端末
７，７ａ，７ｂ  鍵装置
９，９ａ，９ｂ  配送容器
１０，４０，７０，２１０  制御部
１２  施錠処理部
１４  暗証生成部
１５  記憶制御部
１８，２１８  解錠処理部
２１，２２１  照合部
２４  情報送信部
２６  ユーザ処理部
３０，６０，７５，２３０  記憶部
３１ａ，２３１ａ  管理プログラム
３５，２３５  解錠条件記憶部
４２  解錠条件受付部
４３  通信確立部
４４  位置情報取得部
４５  情報送信部
４８  指示信号出力部
５０  管理画面出力部
６１ａ  鍵使用アプリ
６５  タッチパネルディスプレイ
６６  ＧＰＳ受信部
６８，７８  ＩＣチップ
７１  解錠照合部
７２  錠制御部
７４  電気錠
１００，２００  配送システム
２２０  日時取得部
Ｎ    通信ネットワーク
【図１】
2018084112.tif 000003
【図２】
2018084112.tif 000004
【図３】
2018084112.tif 000005
【図４】
2018084112.tif 000006
【図５】
2018084112.tif 000007
【図６】
2018084112.tif 000008
【図７】
2018084112.tif 000009
【図８】
2018084112.tif 000010
【図９】
2018084112.tif 000011
【図１０】
2018084112.tif 000012
【図１１】
2018084112.tif 000013
【図１２】
2018084112.tif 000014
【図１３】
2018084112.tif 000015
【図１４】
2018084112.tif 000016
【図１５】
2018084112.tif 000017
【図１６】
2018084112.tif 000018
【図１７】
2018084112.tif 000019